【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
表示部と制御部と記憶部とを少なくとも備えた階層情報提供装置であって、
上記記憶部は、
地図データと、当該地図データの地点情報に対応付けて階層数を規定する階層情報と、を記憶する地図データ記憶手段、
を備え、
上記制御部は、
上記地図データ記憶手段に記憶された上記地図データに基づく地図表示画面を上記表示部に表示させる地図表示手段と、
上記地点情報を取得する地点情報取得手段と、
上記地点情報取得手段により取得された上記地点情報に対応する上記階層情報を上記地図データ記憶手段から取得する階層情報取得手段と、
上記階層情報取得手段により取得された上記階層情報に基づく階層数の立体階層図を、上記地図表示画面上に重畳表示させる重畳表示手段と、
を備えたことを特徴とする、階層情報提供装置。
【請求項２】
請求項１に記載の階層情報提供装置において、
更に、入力部を備え、
上記地点情報取得手段は、
利用者に上記入力部を介して、上記地図表示手段により表示された上記地図表示画面上の地点を指定させることにより、上記地点情報を取得することを特徴とする、階層情報提供装置。
【請求項３】
請求項１に記載の階層情報提供装置において、
更に、位置取得部を備え、
上記地点情報取得手段は、
上記位置取得部を介して、上記地点情報を取得することを特徴とする、階層情報提供装置。
【請求項４】
請求項１から３のいずれか一つに記載の階層情報提供装置において、
上記制御部は、
案内経路に関する経路案内情報を取得する経路案内情報取得手段、
を更に備え、
上記重畳表示手段は、
上記経路案内情報取得手段により取得された上記経路案内情報に基づいて、上記立体階層図上に対応する上記案内経路または当該案内経路に対応する記号を表示させることを特徴とする、階層情報提供装置。
【請求項５】
請求項１から４のいずれか一つに記載の階層情報提供装置において、
上記地図データ記憶手段は、
更に、施設情報を記憶し、
上記重畳表示手段は、
上記地図データ記憶手段に記憶された上記施設情報に基づいて、上記立体階層図上に対応する記号を表示させることを特徴とする、階層情報提供装置。
【請求項６】
請求項１に記載の階層情報提供装置において、
更に、入力部を備え、
上記地図データ記憶手段は、
更に、上記階層情報の階情報に対応付けて詳細階層地図データを記憶し、
上記制御部は、
利用者に上記入力部を介して、上記重畳表示された上記立体階層図の上記階層を選択させることにより、上記階情報を取得する階情報取得手段と、
上記階情報取得手段により取得された上記階情報に対応する上記詳細階層地図データを上記地図データ記憶手段から取得する詳細階層地図データ取得手段と、
を更に備え、
上記地図表示手段は、
上記詳細階層地図データ取得手段により取得された上記詳細階層地図データに基づく上記地図表示画面に切り替えて上記表示部に表示させることを特徴とする、階層情報提供装置。
【請求項７】
請求項１に記載の階層情報提供装置において、
更に、位置取得部を備え、
上記地図データ記憶手段は、
更に、上記階層情報の階情報に対応付けて詳細階層地図データを記憶し、
上記制御部は、
上記位置取得部を介して、上記階情報を取得する階情報取得手段と、
上記階情報取得手段により取得された上記階情報に対応する上記詳細階層地図データを上記地図データ記憶手段から取得する詳細階層地図データ取得手段と、
を更に備え、
上記地図表示手段は、
上記詳細階層地図データ取得手段により取得された上記詳細階層地図データに基づく上記地図表示画面に切り替えて上記表示部に表示させることを特徴とする、階層情報提供装置。
【請求項８】
請求項６または７に記載の階層情報提供装置において、
上記重畳表示手段は、
上記階情報取得手段により取得された上記階情報に基づいて、上記立体階層図上の対応する上記階層を強調表示させることを特徴とする、階層情報提供装置。
【請求項９】
請求項６から８のいずれか一つに記載の階層情報提供装置において、
上記重畳表示手段は、
上記地図表示手段により上記表示部に表示された上記詳細階層地図データに対応する上記階情報に基づいて、上記立体階層図上の対応する上記階層を強調表示させることを特徴とする、階層情報提供装置。
【請求項１０】
請求項１から９のいずれか一つに記載の階層情報提供装置において、
上記重畳表示手段は、
上記階層情報取得手段により取得された上記階層情報に基づく上記階層数のうち所定数の階層に対応する上記立体階層図を上記地図表示画面上に重畳表示させ、当該重畳表示される上記所定数の上記階層を切り替え可能に制御することを特徴とする、階層情報提供装置。
【請求項１１】
制御部と記憶部とを少なくとも備えたサーバ装置、および、表示部と記憶部と制御部とを少なくとも備えた端末装置、を通信可能に接続した階層情報提供システムであって、
上記サーバ装置の上記記憶部は、
階層数を規定する階層情報を地点情報に対応付けて記憶する階層情報記憶手段、
を備え、
上記端末装置の上記記憶部は、
上記地点情報を含む地図データを記憶する地図データ記憶手段、
を備え、
上記サーバ装置の上記制御部は、
上記端末装置から送信される、上記地点情報を受信する地点情報受信手段と、
上記地点情報受信手段により受信された上記地点情報に対応する上記階層情報を上記階層情報記憶手段から取得する階層情報取得手段と、
上記階層情報取得手段により取得された上記階層情報を上記端末装置に送信する階層情報送信手段と、
を備え、
上記端末装置の上記制御部は、
上記地図データ記憶手段に記憶された上記地図データに基づく地図表示画面を上記表示部に表示させる地図表示手段と、
上記地点情報を上記サーバ装置に送信する地点情報送信手段と、
上記サーバ装置から送信される、上記階層情報を受信する階層情報受信手段と、
上記階層情報受信手段により受信された上記階層情報に基づく階層数の立体階層図を、上記地図表示画面上に重畳表示させる重畳表示手段と、
を備えたことを特徴とする、階層情報提供システム。
【請求項１２】
表示部を少なくとも備えた端末装置に通信可能に接続された、制御部と記憶部とを少なくとも備えたサーバ装置であって、
上記記憶部は、
階層数を規定する階層情報を地点情報に対応付けて記憶する階層情報記憶手段、
を備え、
上記制御部は、
上記端末装置から送信される、上記地点情報を受信する地点情報受信手段と、
上記地点情報受信手段により受信された上記地点情報に対応する上記階層情報を上記階層情報記憶手段から取得する階層情報取得手段と、
上記階層情報取得手段により取得された上記階層情報を上記端末装置に送信する階層情報送信手段と、
を備えたことを特徴とする、サーバ装置。
【請求項１３】
表示部を少なくとも備えた端末装置に通信可能に接続された、制御部と記憶部とを少なくとも備えたサーバ装置であって、
上記記憶部は、
地図データと、当該地図データの地点情報に対応付けて階層数を規定する階層情報と、を記憶する地図データ記憶手段、
を備え、
上記制御部は、
上記端末装置から送信される、上記地点情報を取得する地点情報取得手段と、
上記地点情報取得手段により取得された上記地点情報に対応する上記階層情報および上記地図データを上記地図データ記憶手段から取得する階層情報取得手段と、
上記階層情報取得手段により取得された上記階層情報および上記地図データに基づいて、当該地図データに基づく地図表示画面上に、当該階層情報に基づく階層数の立体階層図を重畳表示させた表示画面を生成する重畳表示画面生成手段と、
上記重畳表示画面生成手段により生成された上記表示画面を含む制御データを上記端末装置に送信することにより、上記表示部に表示させる表示制御手段と、
を備えたことを特徴とする、サーバ装置。
【請求項１４】
記憶部を少なくとも備えたサーバ装置に通信可能に接続された、表示部と記憶部と制御部とを少なくとも備えた端末装置であって、
上記サーバ装置の上記記憶部は、
階層数を規定する階層情報を地点情報に対応付けて記憶する階層情報記憶手段、
を備え、
上記端末装置の上記記憶部は、
上記地点情報を含む地図データを記憶する地図データ記憶手段、
を備え、
上記制御部は、
上記地図データ記憶手段に記憶された上記地図データに基づく地図表示画面を上記表示部に表示させる地図表示手段と、
上記地点情報を上記サーバ装置に送信する地点情報送信手段と、
上記サーバ装置から送信される、上記地点情報送信手段により送信された上記地点情報に対応する、上記階層情報記憶手段から取得された上記階層情報を受信する階層情報受信手段と、
上記階層情報受信手段により受信された上記階層情報に基づく階層数の立体階層図を、上記地図表示画面上に重畳表示させる重畳表示手段と、
を備えたことを特徴とする、端末装置。
【請求項１５】
表示部と制御部と記憶部とを少なくとも備えた階層情報提供装置において実行される階層情報提供方法であって、
上記記憶部は、
地図データと、当該地図データの地点情報に対応付けて階層数を規定する階層情報と、を記憶する地図データ記憶手段、
を備え、
上記制御部において実行される、
上記地図データ記憶手段に記憶された上記地図データに基づく地図表示画面を上記表示部に表示させる地図表示ステップと、
上記地点情報を取得する地点情報取得ステップと、
上記地点情報取得ステップにて取得された上記地点情報に対応する上記階層情報を上記地図データ記憶手段から取得する階層情報取得ステップと、
上記階層情報取得ステップにて取得された上記階層情報に基づく階層数の立体階層図を、上記地図表示画面上に重畳表示させる重畳表示ステップと、
を含むことを特徴とする、階層情報提供方法。
【請求項１６】
制御部と記憶部とを少なくとも備えたサーバ装置、および、表示部と記憶部と制御部とを少なくとも備えた端末装置、を通信可能に接続した階層情報提供システムにおいて実行される階層情報提供方法であって、
上記サーバ装置の上記記憶部は、
階層数を規定する階層情報を地点情報に対応付けて記憶する階層情報記憶手段、
を備え、
上記端末装置の上記記憶部は、
上記地点情報を含む地図データを記憶する地図データ記憶手段、
を備え、
上記端末装置の上記制御部において実行される、
上記地図データ記憶手段に記憶された上記地図データに基づく地図表示画面を上記表示部に表示させる地図表示ステップと、
上記端末装置の上記制御部において実行される、
上記地点情報を上記サーバ装置に送信する地点情報送信ステップと、
上記サーバ装置の上記制御部において実行される、
上記端末装置から送信される、上記地点情報を受信する地点情報受信ステップと、
上記サーバ装置の上記制御部において実行される、
上記地点情報受信ステップにて受信された上記地点情報に対応する上記階層情報を上記階層情報記憶手段から取得する階層情報取得ステップと、
上記サーバ装置の上記制御部において実行される、
上記階層情報取得ステップにて取得された上記階層情報を上記端末装置に送信する階層情報送信ステップと、
上記端末装置の上記制御部において実行される、
上記サーバ装置から送信される、上記階層情報を受信する階層情報受信ステップと、
上記端末装置の上記制御部において実行される、
上記階層情報受信ステップにて受信された上記階層情報に基づく階層数の立体階層図を、上記地図表示画面上に重畳表示させる重畳表示ステップと、
を含むことを特徴とする、階層情報提供方法。
【請求項１７】
表示部を少なくとも備えた端末装置に通信可能に接続された、制御部と記憶部とを少なくとも備えたサーバ装置において実行される階層情報提供方法であって、
上記記憶部は、
階層数を規定する階層情報を地点情報に対応付けて記憶する階層情報記憶手段、
を備え、
上記サーバ装置の上記制御部において実行される、
上記端末装置から送信される、上記地点情報を受信する地点情報受信ステップと、
上記地点情報受信ステップにて受信された上記地点情報に対応する上記階層情報を上記階層情報記憶手段から取得する階層情報取得ステップと、
上記階層情報取得ステップにて取得された上記階層情報を上記端末装置に送信する階層情報送信ステップと、
を含むことを特徴とする、階層情報提供方法。
【請求項１８】
表示部を少なくとも備えた端末装置に通信可能に接続された、制御部と記憶部とを少なくとも備えたサーバ装置において実行される階層情報提供方法であって、
上記記憶部は、
地図データと、当該地図データの地点情報に対応付けて階層数を規定する階層情報と、を記憶する地図データ記憶手段、
を備え、
上記制御部において実行される、
上記端末装置から送信される、上記地点情報を取得する地点情報取得ステップと、
上記地点情報取得ステップにより取得された上記地点情報に対応する上記階層情報および上記地図データを上記地図データ記憶手段から取得する階層情報取得ステップと、
上記階層情報取得ステップにて取得された上記階層情報および上記地図データに基づいて、当該地図データに基づく地図表示画面上に、当該階層情報に基づく階層数の立体階層図を重畳表示させた表示画面を生成する重畳表示画面生成ステップと、
上記重畳表示画面生成ステップにて生成された上記表示画面を含む制御データを上記端末装置に送信することにより、上記表示部に表示させる表示制御ステップと、
を含むことを特徴とする、階層情報提供方法。
【請求項１９】
記憶部を少なくとも備えたサーバ装置に通信可能に接続された、表示部と記憶部と制御部とを少なくとも備えた端末装置において実行される階層情報提供方法であって、
上記サーバ装置の上記記憶部は、
階層数を規定する階層情報を地点情報に対応付けて記憶する階層情報記憶手段、
を備え、
上記端末装置の上記記憶部は、
上記地点情報を含む地図データを記憶する地図データ記憶手段、
を備え、
上記制御部において実行される、
上記地図データ記憶手段に記憶された上記地図データに基づく地図表示画面を上記表示部に表示させる地図表示ステップと、
上記地点情報を上記サーバ装置に送信する地点情報送信ステップと、
上記サーバ装置から送信される、上記地点情報送信ステップにて送信された上記地点情報に対応する、上記階層情報記憶手段から取得された上記階層情報を受信する階層情報受信ステップと、
上記階層情報受信ステップにて受信された上記階層情報に基づく階層数の立体階層図を、上記地図表示画面上に重畳表示させる重畳表示ステップと、
を含むことを特徴とする、階層情報提供方法。
【請求項２０】
表示部と制御部と記憶部とを少なくとも備えた階層情報提供装置に実行させるためのプログラムであって、
上記記憶部は、
地図データと、当該地図データの地点情報に対応付けて階層数を規定する階層情報と、を記憶する地図データ記憶手段、
を備え、
上記制御部において、
上記地図データ記憶手段に記憶された上記地図データに基づく地図表示画面を上記表示部に表示させる地図表示ステップと、
上記地点情報を取得する地点情報取得ステップと、
上記地点情報取得ステップにて取得された上記地点情報に対応する上記階層情報を上記地図データ記憶手段から取得する階層情報取得ステップと、
上記階層情報取得ステップにて取得された上記階層情報に基づく階層数の立体階層図を、上記地図表示画面上に重畳表示させる重畳表示ステップと、
を実行させるためのプログラム。
【請求項２１】
表示部を少なくとも備えた端末装置に通信可能に接続された、制御部と記憶部とを少なくとも備えたサーバ装置に実行させるためのプログラムであって、
上記記憶部は、
階層数を規定する階層情報を地点情報に対応付けて記憶する階層情報記憶手段、
を備え、
上記制御部において、
上記端末装置から送信される、上記地点情報を受信する地点情報受信ステップと、
上記地点情報受信ステップにて受信された上記地点情報に対応する上記階層情報を上記階層情報記憶手段から取得する階層情報取得ステップと、
上記階層情報取得ステップにて取得された上記階層情報を上記端末装置に送信する階層情報送信ステップと、
を実行させるためのプログラム。
【請求項２２】
表示部を少なくとも備えた端末装置に通信可能に接続された、制御部と記憶部とを少なくとも備えたサーバ装置に実行させるためのプログラムであって、
上記記憶部は、
地図データと、当該地図データの地点情報に対応付けて階層数を規定する階層情報と、を記憶する地図データ記憶手段、
を備え、
上記制御部において、
上記端末装置から送信される、上記地点情報を取得する地点情報取得ステップと、
上記地点情報取得ステップにより取得された上記地点情報に対応する上記階層情報および上記地図データを上記地図データ記憶手段から取得する階層情報取得ステップと、
上記階層情報取得ステップにて取得された上記階層情報および上記地図データに基づいて、当該地図データに基づく地図表示画面上に、当該階層情報に基づく階層数の立体階層図を重畳表示させた表示画面を生成する重畳表示画面生成ステップと、
上記重畳表示画面生成ステップにて生成された上記表示画面を含む制御データを上記端末装置に送信することにより、上記表示部に表示させる表示制御ステップと、
を実行させるためのプログラム。
【請求項２３】
記憶部を少なくとも備えたサーバ装置に通信可能に接続された、表示部と記憶部と制御部とを少なくとも備えた端末装置に実行させるためのプログラムであって、
上記サーバ装置の上記記憶部は、
階層数を規定する階層情報を地点情報に対応付けて記憶する階層情報記憶手段、
を備え、
上記端末装置の上記記憶部は、
上記地点情報を含む地図データを記憶する地図データ記憶手段、
を備え、
上記制御部において、
上記地図データ記憶手段に記憶された上記地図データに基づく地図表示画面を上記表示部に表示させる地図表示ステップと、
上記地点情報を上記サーバ装置に送信する地点情報送信ステップと、
上記サーバ装置から送信される、上記地点情報送信ステップにて送信された上記地点情報に対応する、上記階層情報記憶手段から取得された上記階層情報を受信する階層情報受信ステップと、
上記階層情報受信ステップにて受信された上記階層情報に基づく階層数の立体階層図を、上記地図表示画面上に重畳表示させる重畳表示ステップと、
を実行させるためのプログラム。